(57)【要約】【解決手段】箱型に組み立てられた状態において、先に倒される短側壁３に取り付けられたロック部材５の操作杆５ｄ、５ｅが、後から倒される長側壁２に形成された弾性片４に突設されている係合突部４ａの上面４ａ１に当接或いは接近している状態から、ロック部材を下動させて、長側壁に形成されている弾性片を外側に弾性変形させることにより，長側壁に形成されている弾性片の係合突部と先に倒される短側壁とのロック状態を解除するように構成した折り畳みコンテナーに関するものである。【効果】従来の折り畳みコンテナーのように，ロック部材の上下運動を、ロック部材と別部材の操作部材の水平運動に変換するための複雑な機構を設ける必要がなく、従って、ロック部材の構成が簡素化されるとともに，ロック部材の損傷を防止することができる。【選択図】図１３
2005343548.tif 000002
【特許請求の範囲】
【請求項１】
箱型に組み立てられた状態において、先に倒される相対する一方の側壁に取り付けられたロック部材の操作杆が、後から倒される相対するもう一方の側壁に形成された弾性片に突設されている係合突部の上面に当接或いは接近している状態から、前記ロック部材を下動させて、前記後から倒される相対するもう一方の側壁に形成されている弾性片を外側に弾性変形させることにより，前記後から倒される相対するもう一方の側壁に形成されている弾性片の係合突部と前記先に倒される相対する一方の側壁とのロック状態を解除するように構成したことを特徴とする折り畳みコンテナー。
【請求項２】
前記係合突部の上面に、下方に傾斜した傾斜面が形成されていることを特徴とする請求項１に記載の折り畳みコンテナー。
【請求項３】
前記ロック部材の操作杆の前記係合突部の上面に当接或いは接近する角部に、アールが形成されていることを特徴とする請求項１又は請求項２に記載の折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部と、底部の相対する長辺部にヒンジ連結された長側壁と、同じく底部の相対する短辺部にヒンジ連結された短側壁とからなり、底部に対して略垂直に長側壁と短辺部を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁或いは短側壁が、底部方向に倒れないように、互いに、ロック機構により、ロックされるように構成されている。
【０００３】
一例として、長側壁に、係合突起を有する弾性片を形成するとともに、短側壁には、上記弾性片を外側に弾性変形可能な押圧部材を配設した折り畳みコンテナーが、特許文献１に開示されている。
【特許文献１】特開２００４−５１１９９号公報
【発明の開示】
【発明が解決しようとする課題】
【０００４】
従来の折り畳みコンテナーにおいては、短側壁に配設された操作部材を、上下動させるとともに、操作部材の上下運動を、操作部材と別部材の押圧部材の水平運動に変換し、押圧部材の水平移動により、長側壁に形成された係合突起を有する弾性片を外側に弾性変形させて、長側壁に形成された弾性片の係合突起による短側壁のロック状態を解除するように構成されている。このように、操作部材の上下運動を、操作部材と別部材の押圧部材の水平運動に変換するために、操作部材と押圧部材との係合部分が複雑な機構となり、従って、操作部材と押圧部材との係合部分が損傷し易いという問題があった。
【０００５】
また、従来の折り畳みコンテナーにおいては、操作部材と押圧部材とが別部材であるために、短側壁への取り付けに手間と時間がかかり、従って、折り畳みコンテナーの組立作業の作業性が悪いという問題があった。
【０００６】
本発明の目的は、上述した従来の折り畳みコンテナーが有する課題を解決することにある。
【課題を解決するための手段】
【０００７】
本発明は、上述した目的を達成するために、第１には、箱型に組み立てられた状態において、先に倒される相対する一方の側壁に取り付けられたロック部材の操作杆が、後から倒される相対するもう一方の側壁に形成された弾性片に突設されている係合突部の上面に当接或いは接近している状態から、ロック部材を下動させて、後から倒される相対するもう一方の側壁に形成されている弾性片を外側に弾性変形させることにより，後から倒される相対するもう一方の側壁に形成されている弾性片の係合突部と先に倒される相対する一方の側壁とのロック状態を解除するように構成したものであり、第２には、前記係合突部の上面を、下方に傾斜した傾斜面としたものであり、第３には、前記ロック部材の操作杆の前記係合突部の上面に当接或いは接近する角部に、アールを形成したものである。
【発明の効果】
【０００８】
先に倒される相対する一方の側壁に取り付けられたロック部材の操作杆が、後から倒される相対するもう一方の側壁に形成された弾性片に突設されている係合突部の上面に当接或いは接近している状態から、ロック部材を下動させて、後から倒される相対するもう一方の側壁に形成されている弾性片を外側に弾性変形させることにより，後から倒される相対するもう一方の側壁に形成されている弾性片の係合突部と先に倒される相対する一方の側壁とのロック状態を解除するように構成したので、従来の折り畳みコンテナーのように，ロック部材の上下運動を、ロック部材と別部材の操作部材の水平運動に変換するための複雑な機構を設ける必要がなく、従って、ロック部材の構成が簡素化されるとともに，ロック部材の損傷を防止することができる。
【０００９】
また、従来の折り畳みコンテナーのように，ロック部材の上下運動を、ロック部材と別部材の操作部材の水平運動に変換する必要がなく、ロック部材の下動により、直に、後から倒される相対するもう一方の側壁に形成されている弾性片を外側に弾性変形させることができるので、先に倒される相対する一方の側壁と後から倒される相対するもう一方の側壁とのロック解除を、確実に、且つ、迅速に行うことができる。
【００１０】
更に、係合突部の上面を、下方に傾斜した傾斜面としたので、係合突部の上面に当接しているロック部材の操作杆の下動を，円滑に，且つ，小さな力で行うことができ，従って，ロック部材の操作性が向上する。
【００１１】
更にまた、ロック部材の操作杆の係合突部の上面に当接或いは接近する角部に、アールを形成したので、係合突部の上面に当接しているロック部材の操作杆の下動を，より円滑に，且つ，より小さな力で行うことができ，従って，ロック部材の操作性が更に向上する。
【実施例】
【００１２】
以下に、本発明の実施例について説明するが、本発明の趣旨を越えない限り、何ら、本実施例に限定されるものではない。
【００１３】
本発明の全体構成は、底部１と、底部１の相対する長辺側土手部１ａにヒンジ連結された長側壁２と、底部１の相対する短辺側土手部１ｂにヒンジ連結された短側壁３とから構成されており、本実施例においては、長辺側土手部１ａは、短辺側土手部１ｂより高く構成されている。
【００１４】
図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されており、また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【００１５】
次に、図１〜図４を用いて、長側壁２について説明する。
【００１６】
長側壁２は、略方形状の板状部２ａを有しており、長側壁２の両垂直端には、板状部２ａの内面（折り畳みコンテナーを図１に示されているように、箱型に組み立てた際に、箱型に組み立てられた折り畳みコンテナーの内側に位置する面）２ａ１に対して略垂直方向に延在する、縦長の係合枠２ｂが形成されており、係合枠２ｂには、上下方向に所定の間隔を置いて、板状部２ａに略平行な嵌合孔２ｂ１が、適当数、形成されている。なお、本実施例には、３個の嵌合孔２ｂ１が形成されている例が示されている。
【００１７】
係合枠２ｂ付近に位置する板状部２ａの両端部付近には、上下方向に所定の間隔を置いて形成された水平溝部２ｃ１と、水平溝部２ｃ１の係合枠２ｂ側端部を連結する垂直溝２ｃ２とからなる略コの字状のスリット２ｃが形成されており、長側壁２の板状部２ａに、このようなスリット２ｃを形成することにより、長側壁２には、係合枠２ｂ側に自由端部を有する弾性片４が形成されている。また、弾性片４の先端部には、略角柱状の係合突部４ａが突設されており、係合突部４ａの上面４ａ１は、係合突部４ａの付け根から係合突部４ａの先端に向かうに従って、下方に傾斜した傾斜面として形成されているとともに、弾性片４の根元側に位置する係合突部４ａの側面４ａ２にも、係合突部４ａの付け根から係合突部４ａの先端に向かうに従って、係合枠２ｂ方向に傾斜した傾斜面が形成されている。なお、係合突部４ａの上面４ａ１の傾斜面を、以下、単に、傾斜上面４ａ１と称し、係合突部４ａの側面４ａ２の傾斜面を、以下、単に、傾斜側面４ａ２と称する。
【００１８】
次に、図１、図２、図５、図６及び図７を用いて、短側壁３について説明する。
【００１９】
短側壁３は、略方形状の板状部３ａを有しており、板状部３ａの上下端には、板状部３ａの外面（図１に示されているように、折り畳みコンテナーを箱型に組み立てた際に、折り畳みコンテナーの外側に位置する面）３ａ１に対して略垂直方向に延在する上端水平リブ３ｂ及び下端水平リブ３ｃが、それぞれ形成されており、また、上端水平リブ３ｂの両端部と下端水平リブ３ｃの両端部とは、側部リブ３ｄにより連結されている。
【００２０】
短側壁３には、板状部３ａの上部領域を、側部リブ３ｄを越えて外側に延在することにより、縦長の張出部３ｅが形成されており、張出部３ｅの縁部には、長側壁２の係合枠２ｂに穿設された嵌合孔２ｂ１に嵌合可能な嵌合突部３ｆが形成されている。本実施例においては、長側壁２の係合枠２ｂに穿設された３個の嵌合孔２ｂ１に対応して、３個の嵌合突部３ｆが形成されている例が示されている。
【００２１】
上端水平リブ３ｂの下方に位置する板状部３ａには、上端水平リブ３ｂから所定の間隔を置いて、相対する側部リブ３ｄを連結する区画水平リブ３ｇが形成されている。また、相対する側部リブ３ｄ付近には、上端水平リブ３ｂと区画水平リブ３ｇとを連結する連結ロッド３ｈが形成されており、連結ロッド３ｈの裏面（連結ロッド３ｈの板状部３ａと対向する面）３ｈ１と板状部３ａとの間には、所定のスリットＳ１が形成されているとともに、連結ロッド３ｈの側部リブ３ｄ側の側面３ｈ２と側部リブ３ｄとの間には、所定の間隙Ｗ１が形成されている。なお、本実施例には、図６に示されているように、連結ロッド３ｈの水平断面形状が、略Ｕ字状に形成されている例が示されている。
【００２２】
区画水平リブ３ｇの上方付近に位置する側部リブ３ｄには、スリットＳ２が穿設されているとともに、スリットＳ２の周辺に位置する張出部３ｅには、切欠き凹部３ｅ１が形成されている。側部リブ３ｄには、スリットＳ２を挟んで、且つ、側部リブ３ｄに垂直な垂直片３ｉが立設されており、また、垂直片３ｉの先端は、相対する垂直片３ｉを連結する係止片３ｊが形成されており、係止片３ｊは、側部リブ３ｄの先端より、所定の距離だけ引っ込んでいる。
【００２３】
先ず最初に、主として、図８及び図９を用いて、短側壁３に配設される合成樹脂で一体成形されたロック部材５について説明する。
【００２４】
ロック部材５は、正面形状が横長の長方形状の本体部５ａと、本体部５ａの相対する側面５ａ１から突出しているとともに、本体部５ａの肉厚より薄肉の薄肉部５ｂ、５ｃを有している。なお、本体部５ａと薄肉部５ｂ、５ｃの裏面（ロック部材５を、短側壁３に取り付けた際に、短側壁３の板状部３ａの外面３ａ１と相対する面）は、略面一になるように構成されている。
【００２５】
また、薄肉部５ｂの側面５ｂ１の下部には、操作杆５ｄが、側面５ｂ１に垂直に連接されており、同様に、薄肉部５ｃの側面５ｃ１の下部にも、操作杆５ｅが、側面５ｃ１に垂直に連接されている。一方の操作杆５ｄは、もう一方の操作杆５ｅより長く形成されており、更に、操作杆５ｄ、５ｅの厚さは、共に、薄肉部５ｂの厚さと同じ厚さに形成されているとともに、本体部５ａの裏面、薄肉部５ｂ、５ｃの裏面及び操作杆５ｄ、５ｅの裏面（ロック部材５を、短側壁３に取り付けた際に、短側壁３の板状部３ａの外面３ａ１と相対する面）は、略面一になるように構成されている。また，長い方の操作杆５ｄの先端面５ｄ１と下面５ｄ２とにより形成される角部は，アールを有する角部５ｄ３として形成されており，同様に，短い方の操作杆５ｅの先端面５ｅ１と下面５ｅ２とにより形成される角部は，アールを有する角部５ｅ３として形成されている。
【００２６】
本体部５ａの下面５ａ２、一方の薄肉部５ｂの下面５ｂ２、もう一方の薄肉部５ｃの下面５ｃ２、一方の操作杆５ｄの下面５ｄ２及びもう一方の操作杆５ｅの下面５ｅ２により、ロック部材５の下面５’が構成されており、本体部５ａの下面５ａ２、一方の薄肉部５ｂの下面５ｂ２、もう一方の薄肉部５ｃの下面５ｃ２、一方の操作杆５ｄの下面５ｄ１及びもう一方の操作杆５ｅの下面５ｅ１は、略面一になるように、換言すれば、ロック部材５の下面５’は、略平坦になるように形成されている。
【００２７】
ロック部材５の下面５’には、所定の間隔を置いて、互いに接近する方向に傾斜して延在する、換言すれば、ロック部材５の下面５’の中央方向に傾斜して延在する一つの弾性板材５ｆが形成されている。また、短い方の操作杆５ｅが連接されている薄肉部５ｃの前面（ロック部材５を、短側壁３に取り付けた際に、外側に位置する面）５ｃ３には、薄肉部５ｃの側面５ｃ１に沿って、嵌合突条５ｇが突設されている。嵌合突条５ｇの本体部５ａ側の側面５ｇ１は、薄肉部５ｃの前面５ｃ３に対して略垂直であり、嵌合突条５ｇの短い方の操作杆５ｅ側の側面５ｇ２は、薄肉部５ｃの側面５ｃ１に向かうに従って、側面５ｃ１に接近するような傾斜面として形成されている。更に、嵌合突条５ｇの先端から薄肉部５ｃの裏面５ｃ４までの距離は、連結ロッド３ｈの裏面３ｈ１と短側壁３の板状部３ａの外面３ａ１との間に形成されたスリットＳ１の幅より、長く形成されている。なお、５ｈは、ロック部材５の本体部５ａの前面５ａ３に形成された把手用凹部である。
【００２８】
ロック部材５の全長（長い方の操作杆５ｄの先端から短い方の操作杆５ｅの先端までの距離）Ｌ１は、短側壁３を構成する一対の張出部３ｅの先端間の距離Ｌ２と略同じか、或いは、それより、若干、短く形成されており、ロック部材５を、短側壁３に取り付けた際に、ロック部材５の操作杆５ｄ、５ｅの先端が、短側壁３から、はみ出さないように構成されている。また、ロック部材５の全高（本体部５ａの上面５ａ４から弾性板材５ｆの先端までの距離）Ｈ１は、短側壁３の上端水平リブ３ｂの下面３ｂ１から区画水平リブ３ｇの上面３ｇ１までの距離Ｈ２と略同じに形成されている。
【００２９】
また、ロック部材５を構成する薄肉部５ｂ、５ｃは、連結ロッド３ｈの裏面３ｈ１と短側壁３の板状部３ａとの間に形成されたスリットＳ１に挿入可能であり、また、ロック部材５を構成する操作杆５ｄ、５ｅは、短側壁３の側部リブ３ｄに穿設されたスリットＳ２に挿入可能なように構成されている。
【００３０】
次に、主として、図１０〜図１２を用いて、短側壁３へのロック部材５の取り付けについて説明する。
【００３１】
先ず最初に、ロック部材５の長い方の操作杆５ｄを、短側壁３に形成された一方の連結ロッド３ｈの裏面３ｈ１と短側壁３の板状部３ａとの間に形成されたスリットＳ１及び短側壁３の一方の側部リブ３ｄに穿設されたスリットＳ２に挿入するとともに、長い方の操作杆５ｄが連接された薄肉部５ｂを、上記の短側壁３に形成された一方の連結ロッド３ｈの裏面３ｈ１と短側壁３の板状部３ａとの間に形成されたスリットＳ１に、薄肉部５ｂが連接されたロック部材５の本体部５ａの側面５ａ１が、上記の一方の連結ロッド３ｈに当接或いは接近するまで挿入する。次いで、ロック部材５を、短側壁３の板状部３ａ方行に旋回させて、ロック部材５の裏面を、短側壁３を構成する板状部３ａの外面３ａ１に、当接或いは接近させる。その後、ロック部材５を、短側壁３を構成するもう一方の側部リブ３ｄ方向に移動させて、ロック部材５の短い方の操作杆５ｅを、短側壁３に形成されたもう一方の連結ロッド３ｈの裏面３ｈ１と短側壁３の板状部３ａとの間に形成されたスリットＳ１及び短側壁３のもう一方の側部リブ３ｄに穿設されたスリットＳ２に挿入し、また、短い方の操作杆５ｅが連接された薄肉部５ｃを、上記の短側壁３に形成されたもう一方の連結ロッド３ｈの裏面３ｈ１と短側壁３の板状部３ａとの間に形成されたスリットＳ１に挿入することになる。短い方の操作杆５ｅが連接された薄肉部５ｃが、上記の短側壁３に形成されたもう一方の連結ロッド３ｈの裏面３ｈ１と短側壁３の板状部３ａとの間に形成されたスリットＳ１に挿入される際には、上述したように、嵌合突条５ｇの先端から薄肉部５ｃの裏面５ｃ４までの距離は、連結ロッド３ｈの裏面３ｈ１と短側壁３の板状部３ａの外面３ａ１との間に形成されたスリットＳ１の幅より、長く形成されているので、嵌合突条５ｇは、上記のもう一方の連結ロッド３ｈの裏面３ｈ１と短側壁３の板状部３ａとの間に形成されたスリットＳ１に、短側壁３の板状部３ａや連結ロッド３ｈを湾曲変形させながら、強制的に嵌入され、嵌合突条５ｇが、もう一方の連結ロッド３ｈを通過した時点で、嵌合突条５ｇは、連結ロッド３ｈのもう一方の側部リブ３ｄ側の側面３ｈ２ともう一方の側部リブ３ｄとの間に形成された間隙Ｗ１に挿着され、ロック部材５の水平方向に移動が抑制されるように構成されている。このようにして、ロック部材５を、短側壁３に取り付ける。
【００３２】
上述したように、ロック部材５が，短側壁３に取り付けられた際には，ロック部材５の本体部５ａの上面５ａ４が，短側壁３の上端水平リブ３ｂの下面３ｂ１に当接或いは接近して位置するとともに，ロック部材５の下面５’に形成された一対の弾性板材５ｆの先端が，区画水平リブ３ｇの上面３ｇ１の上面に当接或いは接近して位置するように構成されており，更に，この状態においては，ロック部材５の長い方の操作杆５ｄ及び短い方の操作杆５ｅは，それぞれ，短側壁３の側部リブ３ｄに穿設されたスリットＳ２の上方に位置するように構成されている。
【００３３】
図３に示されているように、折り畳まれた状態の折り畳みコンテナーを，図１に示されているように、箱型に組み立てるには，先ず最初に、略水平状態の長側壁２を、垂直方向に回動させて、図２に示されているように、略垂直に立てる。次いで、底部１に重なるようにして折り畳まれている短側壁３を、垂直方向に回動させると、短側壁３の張出部３ｅが、長側壁２に形成された係合枠２ｂに対向するように接近し、短側壁３の張出部３ｅに突設されている嵌合突部３ｆの先端部が、長側壁２の係合枠２ｂに形成された嵌合孔２ｂ１に挿入されることになる。この嵌合突部３ｆの嵌合孔２ｂ１への挿入過程と前後して、長側壁２に形成された弾性片４に突設されている係合突部４ａの傾斜側面４ａ２に，短側壁３の側部リブ３ｄに形成されている係止片３ｊが当接するとになり，更に，短側壁３を、垂直方向に回動させると、短側壁３の側部リブ３ｄに形成されている係止片３ｊが，長側壁２に形成された弾性片４を外側に弾性変形させ，係止片３ｊが，弾性片４に突設されている係合突部４ａを越えた時点で，弾性片４は，その復元力により，元に位置に復帰するとともに，弾性片４に突設されている係合突部４が，係止片３ｊの切欠き凹部３ｅ１側に位置する面３ｊ１に当接或いは接近して位置することになる。また，このように，弾性片４に突設されている係合突部４が，係止片３ｊの切欠き凹部３ｅ１側に位置する面３ｊ１に当接或いは接近して位置した際には，図１３に示されているように、ロック部材５の操作杆５ｄ，５ｅは，弾性片４に突設されている係合突部４の傾斜上面４ａ１に，当接或いは接近して位置するように構成されている。
【００３４】
上述したようにして，折り畳みコンテナーが箱型に組み立てられた際には，長側壁２に形成された弾性片４に突設されている係合突部４ａが，短側壁３の側部リブ３ｄに形成されている係止片３ｊの切欠き凹部３ｅ１側に位置する面３ｊ１に当接或いは接近して位置しているので，短側壁３が，底部１方向に倒れようとしても，短側壁３に形成されている係止片３ｊが，長側壁２に形成されている弾性片４の係合突部４ａに当接し，短側壁３の底部１方向への回動が阻止され，従って，短側壁３が，底部１方向に倒れるようなことを防止することができる。
【００３５】
図１に示されているように、箱型に組み立てられた折り畳みコンテナーを，図３に示されているように、折り畳むには，短側壁３に配設されているロック部材５の把手用凹部５ｈに手を入れて，弾性板材５ｆを変形させながら，弾性板材５ｆの弾性力に抗して，ロック部材５を下動させると，図１３に示されているように、長側壁２に形成された弾性片４に突設されている係合突部４の傾斜上面４ａ１に当接或いは接近しているロック部材５の操作杆５ｄ，５ｅが，傾斜上面４ａ１に沿って，係合突部４の先端方向に下降し，弾性板材５ｆを外側に弾性変形させることになる。そして，図１４に示されているように、ロック部材５の操作杆５ｄ，５ｅの先端面５ｄ１、５ｅ１が、長側壁２に形成された弾性片４の係合突部４ａの先端面４ａ３に当接した時点で、弾性片４の係合突部４ａが、短側壁３の側部リブ３ｄに形成されている係止片３ｊから外れるように構成されているので、このように、長側壁２に形成された弾性片４の係合突部４ａが、短側壁３の側部リブ３ｄに形成されている係止片３ｊから外れた時点で，短側壁３を，底部１方向に倒して，相対する短側壁３を，底部１に重ねる。その後，長側壁２を，底部１方向に倒して，底部１に重ねられている短側壁３の上に，相対する長側壁２を重ねることにより，図１に示されているように、箱型に組み立てられた折り畳みコンテナーを，図３に示されているように折り畳むことができる。
【００３６】
上述したように，短側壁３に配設されている，一体成形されたロック部材５を下動させ，ロック部材５の操作杆５ｄ，５ｅにより，長側壁２に形成されている弾性片４を外側に弾性変形させることにより，長側壁２に形成されている弾性片４の係合突部４ａと短側壁３に形成されている係止片３ｊとのロック状態を解除するように構成したので，従来の折り畳みコンテナーのように，ロック部材の上下運動を、ロック部材と別部材の操作部材の水平運動に変換するための複雑な機構がないので、従って、ロック部材５の構成が簡素化されるとともに，ロック部材５の損傷を防止することができる。
【００３７】
また，弾性片４に突設されている係合突部４の上面４ａ１が，係合突部４の先端に向かって下方に傾斜した傾斜面とて形成さているので，傾斜面として形成されている係合突部４の上面（傾斜上面）４ａ１に当接しているロック部材５の操作杆５ｄ，５ｅの下動を，円滑に，且つ，小さな力で行うことができ，従って，ロック部材５の操作性が向上する。なお、ロック部材５の操作杆５ｄ，５ｅの下動を，円滑に行うためには、傾斜上面４ａ１と水平面とのなす角が、４５度以下となるように、傾斜上面４ａ１を傾斜させることが好ましい。
【００３８】
また，弾性片４に突設されている係合突部４の傾斜上面４ａ１に当接するロック部材５の操作杆５ｄ，５ｅの角部が，アールを有する角部５ｄ３，５ｅ３として形成されているので，係合突部４の傾斜上面４ａ１に当接しているロック部材５の操作杆５ｄ，５ｅの下動を，より円滑に，且つ，より小さな力で行うことができ，従って，ロック部材５の操作性が更に向上する。
【００３９】
上述したように、箱型に組み立てられた状態において、先に倒される短側壁３に取り付けられたロック部材５の操作杆５ｄ，５ｅが、後から倒される長側壁２に形成された弾性片４に突設されている係合突部４の傾斜上面４ａ１に当接或いは接近している状態から、ロック部材５を下動させて、長側壁２に形成されている弾性片４を外側に弾性変形させることにより，長側壁２に形成されている弾性片４の係合突部４ａと短側壁３に形成されている係止片３ｊとのロック状態を解除するように構成したので，従来の折り畳みコンテナーのように，ロック部材の上下運動を、ロック部材と別部材の操作部材の水平運動に変換するための複雑な機構を設ける必要がなく、従って、ロック部材５の構成が簡素化されるとともに，ロック部材５の損傷を防止することができる。
【００４０】
また、従来の折り畳みコンテナーのように，ロック部材の上下運動を、ロック部材と別部材の操作部材の水平運動に変換する必要がなく、ロック部材５の下動により、直に、長側壁２に形成されている弾性片４を外側に弾性変形させることができるので、長側壁２と短側壁３とのロック解除を、確実に、且つ、迅速に行うことができる。
【図面の簡単な説明】
【００４１】
【図１】図１は、本発明の折り畳みコンテナーが箱型に組み立てられた状態の斜視図である。
【図２】図２は、本発明の折り畳みコンテナーの折り畳み途中或いは組み立て途中の斜視図である。
【図３】図３は、本発明の折り畳みコンテナーが折り畳まれた状態の斜視図である。
【図４】図４は、本発明の折り畳みコンテナーの長側壁の部分拡大斜視図である。
【図５】図５は、本発明の折り畳みコンテナーの短側壁を外側から見た部分斜視図である。
【図６】図６は、本発明の折り畳みコンテナーの短側壁を外側から見た水平断面を含む部分斜視図である。
【図７】図７は、本発明の折り畳みコンテナーの短側壁を内側から見た部分斜視図である。
【図８】図８は、本発明の折り畳みコンテナーを構成するロック部材の斜視図である。
【図９】図９は、本発明の折り畳みコンテナーを構成するロック部材の背後からの斜視図である。
【図１０】図１０は、ロック部材の短側壁への取り付けを説明するための本発明の折り畳みコンテナーの短側壁とロック部材の分解斜視図である。
【図１１】図１１は、ロック部材が取り付けられた状態の図６と同様の本発明の折り畳みコンテナーの短側壁を外側から見た水平断面を含む部分斜視図である。
【図１２】図１２は、ロック部材が取り付けられた状態の本発明の折り畳みコンテナーの短側壁の部分斜視図である。
【図１３】図１３は、本発明の折り畳みコンテナーを構成するロック状態の長側壁と短側壁の部分拡大斜視図である。
【図１４】図１４は、図１３と同様の本発明の折り畳みコンテナーを構成する長側壁と短側壁の部分拡大斜視図である。
【符号の説明】
【００４２】
１・・・・・・・・・・・・・・・・・・・・底部
２・・・・・・・・・・・・・・・・・・・・長側壁
２ｂ・・・・・・・・・・・・・・・・・・・係合枠
２ｂ１・・・・・・・・・・・・・・・・・・嵌合孔
３・・・・・・・・・・・・・・・・・・・・短側壁
３ｅ・・・・・・・・・・・・・・・・・・・張出部
３ｆ・・・・・・・・・・・・・・・・・・・嵌合突部
４・・・・・・・・・・・・・・・・・・・・弾性片
４ａ・・・・・・・・・・・・・・・・・・・係合突部
５・・・・・・・・・・・・・・・・・・・・ロック部材
５ｄ、５ｅ・・・・・・・・・・・・・・・・操作杆
【図１】
2005343548.tif 000003
【図２】
2005343548.tif 000004
【図３】
2005343548.tif 000005
【図４】
2005343548.tif 000006
【図５】
2005343548.tif 000007
【図６】
2005343548.tif 000008
【図７】
2005343548.tif 000009
【図８】
2005343548.tif 000010
【図９】
2005343548.tif 000011
【図１０】
2005343548.tif 000012
【図１１】
2005343548.tif 000013
【図１２】
2005343548.tif 000014
【図１３】
2005343548.tif 000015
【図１４】
2005343548.tif 000016